(57)【特許請求の範囲】
【請求項１】
ヒータケース内にヒータを配設したヒータユニットと、前記ヒータユニットの暖気を送り出すための送風機と、前記ヒータユニット及び前記送風機を内装する２つ以上の部品の嵌合からなるハウジングで構成され、前記ハウジングは、前記ヒータユニットの下流側に人体局部へ暖気を導くための風路及び温風吹出口を構成すると共に、前記ヒータユニットの前記ヒータケースは、隔離手段により前記ハウジングの内壁面より隔離されたことを特徴とするトイレ装置用の乾燥装置。
【請求項２】
前記隔離手段は、前記ハウジングに設けられた複数個の凸部からなることを特徴とする請求項１記載のトイレ装置用の乾燥装置。
【請求項３】
前記隔離手段は、前記ハウジングに設けられた風路に沿った複数のリブからなることを特徴とする請求項１記載のトイレ装置用の乾燥装置。
【請求項４】
前記隔離手段は、前記ハウジングに設けられた複数個の凸部と、風路に沿った複数のリブを組み合わせてなることを特徴とする請求項１記載のトイレ装置用の乾燥装置。
【発明の詳細な説明】
【０００１】
【発明の属する技術分野】
本発明は、人体局部の洗浄及び乾燥を行うトイレ装置に内蔵される乾燥装置に関するものである。
【０００２】
【従来の技術】
従来この種のトイレ装置用の乾燥装置は、実開平５−３２４７２号公報に記載されているようなものが一般的であった。この乾燥装置は図７、図８に示されているように、ヒータ１及びヒータケース２からなるヒータユニット３とヒータユニット３の暖気を送り出すための送風機４とヒータユニット３及び送風機４を内装する上ケース５と下ケース６との嵌合により構成されるハウジング７とからなり、ハウジング７はヒータユニット３の下流側に洗浄により濡れた人体局部へ暖気を導くための風路８及び温風吹出口９を構成すると共に、上ケース５と下ケース６との嵌合部１２に水遮断用の隙間１０を設け、更に温風吹出口９には汚水の浸入を防止するためのシャッター１１が回動自在に取り付けられていた
。ここで、乾燥機能が作動すると送風機４のファンが回転すると共に、ヒータ１に通電され、ヒータ１により加熱された暖気はハウジング７内の風路８を通過して温風吹出口９にあるシャッター１１を開いて人体局部に到達させるようになっていた。
【０００３】
また、前記シャッター１１と温風吹出口９の間より進入した小便や洗浄水の飛散や掃除の際の水はね等の汚水が、風路を構成する上ケース５と下ケース６との嵌合部１２から毛細管現象によって浸入してきても、隙間１０により遮断されているヒータユニット３まで到達しないような構成となっており、汚水によるヒータ等、ハウジング内に内装された部品の腐食を防止するようになっていた。
【０００４】
【発明が解決しようとする課題】
しかしながら、従来のトイレ装置用の乾燥装置では、上ケース５と下ケース６との嵌合部１２にある水遮断用の隙間１２から温風が漏れて、実際に人体局部に到達する風量が減るとともに、漏れた温風によりトイレ装置内部の温度が上昇してしまい制御部品など耐熱性の低い部品の寿命が短くなるなどの影響を与えたり、トイレ装置内に内蔵された温度検出センサーの検出温度に誤差を生じるなどの課題を有していた。
【０００５】
【課題を解決するための手段】
本発明は上記課題を解決するために、ヒータユニットをハウジングの内壁面から隔離手段により隔離したものであり、ハウジングの嵌合部より汚水等の進入があってもヒータまで汚水が到達することを防止できる。
【０００６】
【発明の実施の形態】
本発明のトイレ装置用の乾燥装置は、ヒータケース内にヒータを配設したヒータユニットと、前記ヒータユニットの暖気を送り出すための送風機と、前記ヒータユニット及び前記送風機を内装する２つ以上の部品の嵌合からなるハウジングで構成され、前記ハウジングは、前記ヒータユニットの下流側に人体局部へ暖気を導くための風路及びを温風吹出口を構成すると共に、前記ヒータユニットの前記ヒータケースは、隔離手段により前記ハウジングの内壁面より隔離されたものである。
【０００７】
そして、ハウジングの嵌合部から進入した汚水がヒータに達するのを防止し、ヒータの腐食等の不具合を防止することが出来る。
【０００８】
また、前記隔離手段は、前記ハウジングに設けられた複数個の凸部からなることを特徴とするものである。
【０００９】
そして、ハウジングを樹脂部品として成型する際に、同時に凸部を設けることで、ヒータユニットとハウジングの隔離を容易に実現できるのである。
【００１０】
また、前記隔離手段は、前記ハウジングに設けられた風路に沿った複数のリブからなることを特徴とするものである。
【００１１】
そして、ハウジングの嵌合部から進入した汚水がヒータに達するのを防止し、かつハウジングの嵌合部から進入した汚水がこのリブに沿って温風吹出口の方向に速やかに流れ出るためハウジング内に長時間にわたって留まることを防止できるので、この汚水による悪臭の発生を防止することができるのである。
【００１２】
また、前記隔離手段は、前記ハウジングに設けられた複数個の凸部と、風路に沿った複数のリブを組み合わせてなることを特徴とするものである。
【００１３】
そして、例えば、ヒータユニットの側面には凸部を配置し、下面にはリブを配置することにより、ハウジングの側面である嵌合部から浸入してきた汚水は、ハウジングとヒータユニットの隙間を伝わって、ハウジングの下面に流れ落ちると共に、下面に達した汚水はリブを伝わって、風路先端の温風吹出口の方向に流れるようにできるのである。
【００１４】
【実施例】
以下、本発明の実施例について図面を用いて説明する。なお、従来例と同一構成要素には、同一符号を付与する。
【００１５】
（実施例１）
図１はトイレ装置及びトイレ装置に内蔵された乾燥装置の位置を示す外観図である。また第２図は、本発明の実施例１における乾燥装置の斜視図である。
【００１６】
図１、図２において、トイレ装置は便器２１上に載置固定され、本体２２と、本体２２と回動自在に枢着される便蓋２３及び便座２４とを有し、本体２２内の略中央部は乾燥装置２５が内装されている。乾燥装置２５はヒータ１とヒータケース２からなるヒータユニット３と、ヒータユニット３の暖気を送り出すための送風機４と、ヒータユニット３及び送風機４を内装するための上ケース５と下ケース６との嵌合によるハウジング７とからなり、ハウジング７はヒータユニット３の下流側に人体局部へ暖気を導くための風路８及びを温風吹出口９を構成し、温風吹出口９には上ケース５に回動自在に枢着される汚水の浸入を防止するためのシャッター１１が設けられている。図３は、下ケース６の斜視図を示したもので、図に示すように下ケース６の内壁面に複数の凸部からなる隔離手段３１を設けてある。この構成においてヒータユニット３は、隔離手段３１によってハウジング７の内壁面より隔離されている。なお、３２はヒータユニット３の位置決めを行う為のリブである。
【００１７】
次に動作について説明すると、乾燥機能が作動すると送風機４のファンが回転すると共に、ヒータ１に通電され、ヒータ１により加熱された暖気はハウジング７内の風路８を通過して温風吹出口９にあるシャッター１１を開いて局部に到達させるようになっている。ここで、小便や洗浄水の飛散や掃除の際の水はね等の汚水が、ハウジング７の上ケース５と下ケース６との嵌合部１２から毛細管現象によって浸入してきても、この汚水はヒータケース２とハウジング７の隙間から落下するようになっている。
【００１８】
従って、従来のように風路８の途中に水遮断用の隙間を必要としないので温風が漏れることなしに、毛細管現象により浸入してくる汚水がヒータ１に達することを阻止できるので、汚水によるヒータ１の腐食を防止することができるのである。
【００１９】
また、温風が漏れることがないので従来のように漏れた温風によりトイレ装置内部の温度が上昇してしまい制御部品など耐熱性の低い部品の寿命が短くなるなどの影響を与えたり、トイレ装置内に内蔵された温度検出センサーの検出温度に誤差を生じるなどの不具合を防止できるのである。
【００２０】
なお、隔離手段３１は、ハウジング７を樹脂成形で製造する場合は、上ケース５、下ケース６に複数個の凸部を成型時に設けることにより、容易に実現することができる。
【００２１】
（実施例２）
図５は、本発明の実施例２の下ケースの斜視図、図６は乾燥装置の要部断面図である。
【００２２】
３３は、下ケース６に設けた複数のリブからなる隔離手段である。同様のリブを上ケース５にも設けてある。この上ケース５と下ケース６でヒータユニット３を挟み込むように
嵌合してハウジング７が構成される。そして、図４に示すように、ヒータユニット３とハウジング７の内壁面とはこのリブからなる隔離手段３３によって隔離されている。
【００２３】
そして、ハウジング７の嵌合部１２から浸入した汚水は、ヒータケース２とハウジング７の隙間から落下した後、このリブに沿って温風吹出口９の方向に速やかに流れるためハウジング内に長時間にわたって留まることを防止し出来るので、この汚水による悪臭の発生を防止することができるのである。なお、この汚水は温風吹出口９の下面に適当な径の貫通孔３４を設けておくことで便器２１内に排出することができる。
【００２４】
従って、浸入してきた汚水は速やかにハウジング７より排出されるので、長時間に留まることが無く悪臭を生じることを防止できる。
なお、本実施例では、ヒータユニットとハウジングの内壁面との隔離は、ヒータユニットの全面で行うように記載しているが、必ずしも全面で行う必要はなく、最も効果的な面に限定して行うことも可能であることは言うまでもない。
【００２５】
【発明の効果】
以上のように本発明のトイレ装置によれば次の効果が得られる。
【００２６】
（１）ヒータユニットをハウジングの内側から隔離手段により隔離したものであり、ハウジングの嵌合部より汚水等の進入があってもヒータまで汚水が到達することを防止できる。
【００２７】
（２）温風が漏れることがないので従来のように漏れた温風によりトイレ装置内部の温度が上昇してしまい制御部品など耐熱性の低い部品の寿命が短くなるなどの影響を与えたり、トイレ装置内に内蔵された温度検出センサーの検出温度に誤差を生じるなどの不具合を防止できる。
【００２８】
（３）隔離手段を凸部やリブで構成することが可能で、ハウジングを樹脂成型で製造する場合は容易に実現できる。
【００２９】
（４）隔離手段を、風路に沿ったリブで構成することで、汚水が長時間にわたって風路内に留まることを防止でき、この汚水による悪臭発生を防止できる。
【図面の簡単な説明】
【図１】  本発明の実施例１の乾燥装置の内装位置を示す外観図
【図２】  同乾燥装置の斜視図
【図３】  同乾燥装置の下ケースの外観図
【図４】  同乾燥装置の要部断面図
【図５】  本発明の実施例２の乾燥装置の下ケースの斜視図
【図６】  同乾燥装置の要部断面図
【図７】  従来のトイレ装置用の乾燥装置のヒータユニットの斜視図
【図８】  従来のトイレ装置用の乾燥装置の外観図
【符号の説明】
３  ヒータユニット
４  送風機
７  ハウジング
８  風路
９  温風吹出口
３１  隔離手段
【図１】
0004345164.tif 000002
【図２】
0004345164.tif 000003
【図３】
0004345164.tif 000004
【図４】
0004345164.tif 000005
【図５】
0004345164.tif 000006
【図６】
0004345164.tif 000007
【図７】
0004345164.tif 000008
【図８】
0004345164.tif 000009